(57)【要約】【課題】調光時の唸り音を抑制することができるとともに、設計変更時にも簡単な改良で流用することが可能なバックライト点灯回路の提供を目的とする。【解決手段】本発明に係る液晶テレビジョンでは、バックライト点灯回路１０からの入力電圧によりバックライト２０の点灯及び調光を制御される。バックライト点灯回路１０は、ＰＷＭ制御部１２からのＰＷＭ信号に基づいて電源電圧供給回路１１のトランジスタＱ１が入力電圧を断続的に出力する。出力された入力電圧は平滑回路Ｃ２にて平滑化されてインバータ回路１２に出力される。ＰＷＭ制御部１２が出力するＰＷＭ信号はオン期間における立ち上がりから一定の期間に、該ＰＷＭ信号よりオン期間が短い複数の矩形信号が重畳されている。これにより、インバータ回路１３には電圧値が徐徐に増加する入力電圧が供給され、インバータ回路１３は電圧値が徐徐に増加する共振電圧を生成してトランスＷに印加する。【選択図】図２
2008300112.tif 000002
【特許請求の範囲】
【請求項１】
バックライトに高周波電流を供給するトランスと、
直流電源からの直流電力を高周波交流電力に変換して前記トランスに印加するインバータ回路と、
前記インバータ回路を駆動するための入力電圧の供給を断続的にオン・オフして、前記バックライトの調光を制御するスイッチング手段と、
前記スイッチング手段のオン・オフを制御するＰＷＭ信号を供給する調光制御手段とを有するバックライト点灯回路において、
前記調光制御手段は、
前記ＰＷＭ信号のオン期間における立ち上がりから一定の期間に、該ＰＷＭ信号よりオン期間が短い、複数の矩形信号を重畳して前記スイッチング手段に出力し、
出力されたＰＷＭ信号により断続的に供給された前記入力電圧を平滑化する平滑化手段を有することを特徴とするバックライト点灯回路。
【請求項２】
前記ＰＷＭ信号は、オン期間の４分の１から５分の１の期間に前記矩形信号が重畳されることを特徴とする請求項１に記載のバックライト点灯回路。
【請求項３】
前記平滑化手段は、前記インバータ回路に入力電圧を供給する入力コイルと前記断続的に供給される入力電圧を充電する電界コンデンサにより構成されることを特徴とする請求項１または請求項２のいずれかに記載のバックライト点灯回路。
【請求項４】
前記スイッチング手段は、トランジスタであって、
前記トランジスタから出力された入力電圧の立ち上がり波形を鈍らせる電界コンデンサを有し、
前記調光制御手段は、オン期間の４分の１から５分の１の期間にデューティ比が徐徐に増加するよう前記矩形信号が重畳されたＰＷＭ信号を出力するマイクロコンピュータであって、
本バックライト点灯回路は、液晶テレビジョンの表示パネルを背面から照らすバックライトを駆動させることを特徴とする請求項１に記載のバックライト点灯回路。
【請求項５】
バックライトに高周波電流を供給するトランスと、
直流電源からの直流電力を高周波交流電力に変換して前記トランスに印加するインバータ回路と、
前記インバータ回路を駆動するための入力電圧の供給を断続的にオン・オフして、前記バックライトの調光を制御するスイッチング手段と、
前記スイッチング手段のオン・オフを制御するＰＷＭ信号を供給する調光制御手段とを有するバックライト点灯回路において、
前記調光制御手段は、
前記ＰＷＭ信号のオン期間における立ち上がりから一定の期間の波形が、該ＰＷＭ信号よりオン期間が短く、且つデューティ比が序々に増加する矩形信号であることを特徴とするバックライト点灯回路。
【発明の詳細な説明】
【技術分野】
【０００１】
本発明は、バックライトの調光を制御するバックライト点灯回路に関し、特に、唸り音を抑制するためのものである。
【背景技術】
【０００２】
従来図６に示すようなバックライト点灯回路１が知られてる。バックライト点灯回路１は、直流電源Ｖｉｎから供給された直流電力をインバータ回路２により高周波交流電力に変換して、バックライト３に供給する。このようなバックライト点灯回路１では、バックライト３の調光を制御するためにバースト調光方式が取り入れられている。バースト調光方式は、インバータ回路２に入力電圧を断続的に入力することにより、バックライト３の点灯期間を変化させて調光を行なう方式である。具体的には、ＰＷＭ制御部４から数約Ｈｚ〜数十ＨｚのＰＷＭ信号をトランジスタＱ３に出力し、トランジスタＱ３のオン・オフを切替え、インバータ回路２に断続的に入力電圧を供給する（例えば、特許文献１、２参照。）。
【０００３】
上記したバックライト点灯回路内１では唸り音が発生する場合がある。唸り音はトランスＷが可聴周波数領域で振動することにより発生する。図７に示すように、トランスＷに発生する高周波電流の発生初期には、一次巻線Ｗ１に流れる電流が最大となり大きな電流変化（ピーク電流）が現れる。ピーク電流はＰＷＭ信号の周期に合わせて可聴周波数で繰り返し発生し、一次巻線Ｗ１およびフェライトコアを振動させる。これによりトランスＷに唸り音が発生する。
【０００４】
上記したピーク電流を抑制する技術として、時定数の伴うアナログ回路を用いてインバータ回路に供給される入力電圧の電圧値を徐徐に増加させる技術が知られている。これにより、インバータ回路は徐徐に増加する共振電圧を生成して、共振電圧をトランスの一次巻線に印加する。そのため、一次巻線に現れるピーク電流を抑制することができる（例えば、特許文献３参照。）。
【０００５】
また、入力コイルで発生するうなりを低減する技術として、入力コイルと相互誘導結合するコイルを配置し、このコイルのインダクタンス成分をダイオードを用いて短絡させる技術が知られている。このため、入力コイルに供給された入力電圧の周期は可聴周波数域より低くなり、結果としてうなり音を抑制させる（例えば、特許文献４参照。）。
【特許文献１】特開平９−３２０７８７号公報
【特許文献２】特開平６−３５１２６５号公報
【特許文献３】特開２００４−１７３４５９号公報
【特許文献４】特開平８−４５６８０号公報
【発明の開示】
【発明が解決しようとする課題】
【０００６】
上述した特許文献３の発明では、次のような課題があった。アナログ回路を用いて一次巻線に供給される電荷の立ち上がりを穏やかにするため、トランスの特性ごとにアナログ回路の時定数を設計する必要があった。そのため、設計変更をするたびに新たな回路を設計し直す必要があり回路の流用が難しかった。
【０００７】
また、特許文献４の発明では、次のような課題があった。ピーク電流を抑制して唸り音を低減させる技術ではないため、ピーク電流に起因する唸り音を低減することはできなかった。
【０００８】
本発明は上記課題に鑑みてなされたもので、調光時の唸り音を抑制することができるとともに、設計変更時にも回路を設計することなく流用することが可能なバックライト点灯回路の提供を目的とする。
【課題を解決するための手段】
【０００９】
上記課題を解決するために、本発明の請求項１にかかる発明では、バックライトに高周波電流を供給するトランスと、直流電源からの直流電力を高周波交流電力に変換して前記トランスに印加するインバータ回路と、前記インバータ回路を駆動するための入力電圧の供給を断続的にオン・オフして、前記バックライトの調光を制御するスイッチング手段と、前記スイッチング手段のオン・オフを制御するＰＷＭ信号を供給する調光制御手段とを有するバックライト点灯回路において、前記調光制御手段は、前記ＰＷＭ信号のオン期間における立ち上がりから一定の期間に、該ＰＷＭ信号よりオン期間が短い、複数の矩形信号を重畳して前記スイッチング手段に出力し、出力されたＰＷＭ信号により断続的に供給された前記入力電圧を平滑化する平滑化手段を有する構成としてある。
【００１０】
上記構成において、調光制御手段はＰＷＭ信号のオン期間における立ち上がりから一定の期間に、ＰＷＭ信号よりオン期間が短い複数の矩形信号を重畳して前記スイッチング手段に出力する。スイッチング手段は重畳されたＰＷＭ信号に合わせて入力電圧を断続的に出力する。断続的に出力された入力電圧は、平滑化手段により平滑化された後、インバータ回路に出力されて、インバータ回路を駆動させる。ここで、ＰＷＭ信号のオン期間に重畳される矩形信号は、オン期間が該ＰＷＭ信号より短い矩形波であるため、平滑化手段を介してインバータ回路に入力される入力電圧は、徐徐に電荷を増加させていく。インバータ回路は徐徐に増加する電荷によって、電圧値が徐徐に増加する共振電圧を生成する。そのため、トランスに発生するピーク電流が抑制され、唸り音を抑制することができる。また、設計変更の際は、ＰＷＭ信号に重畳する矩形信号のデューティ比を変化させるだけで変更後の回路に流用することができ、アナログ素子を変更するのに比べて簡単に設計変更をすることができる。
ここで、重畳とはＰＷＭ信号のオン期間に該ＰＷＭ信号よりオン期間の短い矩形信号を合成することを言う。この場合、合成される矩形信号がオフ期間（又はローレベル）の場合は、ＰＷＭ信号の波形はローレベルとなる。
【００１１】
また、本発明では、バックライトに高周波電流を供給するトランスと、直流電源からの直流電力を高周波交流電力に変換して前記トランスに印加するインバータ回路と、前記インバータ回路を駆動するための入力電圧の供給を断続的にオン・オフして、前記バックライトの調光を制御するスイッチング手段と、前記スイッチング手段のオン・オフを制御するＰＷＭ信号を供給する調光制御手段とを有するバックライト点灯回路において、前記調光制御手段は、前記ＰＷＭ信号のオン期間における立ち上がりから一定の期間の波形が、該ＰＷＭ信号よりオン期間が短く、且つデューティ比が序々に増加する矩形信号形である構成としてもよい。
【００１２】
つまり、本発明におけるＰＷＭ信号を形成する技術として、異なる周波数を備えた矩形信号を重畳ささせて形成することに限定されず、予めオン期間における立ち上がりから一定の期間の波形が、デューティ比が序々に増加する矩形信号である信号を出力するものであってもよい。
【００１３】
そして、前記ＰＷＭ信号は、オン期間の４分の１から５分の１の期間に前記矩形信号が重畳され構成としてもよい。
このため、ＰＷＭ信号は、オン期間の４分の１から５分の１の期間に信号を重畳するため、オン期間の４分の１から５分の１以後は、連続的にハイレベルの信号がスイッチング手段に出力される。そのため、スイッチング手段が入力電圧の供給を変化させる期間は、非常に短くバックライトの輝度に対する影響を低くすることができる。
【００１４】
さらに、前記平滑化手段は、前記インバータ回路に入力電圧を供給する入力コイルと前記断続的に供給される入力電圧を充電する電界コンデンサにより構成されてもよい。
このため、スイッチング手段より出力された入力電圧は入力コイルにより平滑化された後、電界コンデンサの充放電によりインバータ回路に供給される。これにより、インバータ回路は共振電圧をより穏やか生成し、トランスに発生するピーク電流をより抑制することができる。そのため、唸り音をより抑制することができる。
【００１５】
また、本発明では、本発明に係るバックライト点灯回路を実装する製品にも適応することができる。そのため、前記スイッチング手段は、トランジスタであって、前記トランジスタから出力された入力電圧の立ち上がり波形を鈍らせる電界コンデンサを有し、前記調光制御手段は、オン期間の４分の１から５分の１の期間にデューティ比が徐徐に増加するよう前記矩形信号が重畳されたＰＷＭ信号を出力するマイクロコンピュータであって、本バックライト点灯回路は、液晶テレビジョンの表示パネルを背面から照らすバックライトを駆動させる構成としてもよい。
【発明の効果】
【００１６】
以上説明したように本発明によれば、調光時の唸り音を抑制することができるとともに、設計変更時にも流用することができる。
そして請求項２にかかる発明によれば、ＰＷＭ信号の４分の１から５分の１の期間に信号を重畳するため、バックライトの輝度に対する影響を少なくすることができる。
また請求項３にかかる発明によれば、簡単な構成で平滑化手段を実現することができる。
また請求項４にかかる発明によれば、マイクロコンピュータにより実現することが可能であるため、回路構成を簡素化してより回路をコンパクトにすることができる。
【発明を実施するための最良の形態】
【００１７】
以下、下記の順序に従って本発明の実施形態を説明する。
（１）液晶テレビジョンの構成
（２）バックライト点灯回路の構成
（３）バックライト点灯回路の作用・効果
（４）各種変形例
（５）まとめ
【００１８】
（１）液晶テレビジョンの構成 
液晶テレビジョンは、液晶が充填された画素にて構成された液晶パネルの背面側をバックライトで照らすとともに、上記各画素の光の透過率を変化させることで画像を表示する。バックライトはバックライト点灯回路からの入力電圧により点灯及び調光を制御される。本発明に係るバックライト点灯回路では、ＰＷＭ制御部からのＰＷＭ信号に基づいて電源電圧供給回路のトランジスタＱ１（スイッチング手段）が入力電圧を断続的に出力する。出力された入力電圧は平滑回路（平滑化手段）にて平滑化されてインバータ回路に出力される。ＰＷＭ制御部（調光制御手段）が出力するＰＷＭ信号はオン期間における立ち上がりから一定の期間に、該ＰＷＭ信号よりオン期間が短い複数の矩形信号が重畳されている。これにより、インバータ回路には電圧値が徐徐に増加する入力電圧が供給され、インバータ回路は電圧値が徐徐に増加する共振電圧を生成してトランスに印加する。そのため、トランスに流れる電流値の触れ幅が徐徐に増加した後一定の値に飽和するため、ピーク電流を抑制することができ、唸り音を抑制することができる。
【００１９】
本発明に係る液晶テレビジョン１００は、アンテナが受信したテレビジョン放送信号に基づいて画像を表示する。図１に示すように、液晶テレビジョン１００は、受像機９０とリモコン装置８０とから構成されている。受像機９０はアンテナ２００が受信したテレビジョン放送信号から所要の周波数帯を受信するチューナモジュール９１と、液晶テレビジョン１００の駆動を制御する制御部９２と、電力を供給する電源回路９４と、取得した所要のテレビジョン放送信号に所定の信号処理を施すディジタル回路９３と、音声を出力する音声出力部９５と、画像を表示する液晶ディスプレイ７０と、液晶ディスプレイ７０を背面から照らすバックライトユニット３０とを備えている。液晶テレビジョン１００では、リモコン装置８０の操作により所要のチャンネルが選局されると、制御部９２はチューナモジュール９１に選局されたチャンネルに対応した周波数帯を検波させる。次に、チューナモジュール９１は検波したテレビジョン放送信号をデコードして画像信号と音声信号とを取り出す。取り出された画像信号と音声信号とはディジタル回路９３により所定の信号処理を施された後、画像信号を液晶ディスプレイ７０に出力し、音声信号を音声出力部９５に出力する。
【００２０】
本発明に係る液晶テレビジョン１００では、バックライトユニット３０からの光源により液晶ディスプレイ７０を背面から照らすことで画像を表示する。液晶ディスプレイ７０の画面は、ＲＧＢの各色が塗布された画素をマトリクス状に配置することにより構成されている。各画素には印加された電圧の強さにより光の透過率を変化させる液晶物質が充填されている。液晶ディスプレイ７０は、入力された画像信号をディジタル／アナログ変換した後、各画素に印加することにより各画素の光の透過率を変化させる。また、バックライトユニット３０は、電源回路９４から供給された電源電圧によりバックライトを点灯させて、液晶ディスプレイ７０を背面側から照らす。これにより、各画素は画像信号に基づくアナログ信号によりバックライトユニット３０からの光の透過率を変化させて透過光量に応じた画像を表示する。
【００２１】
（２）バックライト点灯回路の構成
図２に示すように、バックライトユニット３０はバックライト点灯回路１０とバックライト２０とから構成されている。バックライト点灯回路１０は、電源電圧供給回路１１と、ＰＷＭ制御部１２と、インバータ回路１３とから構成されている。バックライト点灯回路１０では、以下の順序によりバックライトを点灯させる。まず、ＰＷＭ制御部１２が出力するＰＷＭ信号に基づいて、電源電圧供給回路１１が入力電圧を制御しつつインバータ回路１３に供給する。このため、インバータ回路１３は、共振によって共振電圧を生成しトランスＷの一次次巻線に印加する。そして、トランスＷの一次巻線に図３（ｃ）に示すような高周波電流が発生することにより、バックライト２０を高周波点灯させる。
【００２２】
電源電圧供給回路１１は、直流電源からの入力電圧を徐徐に増加させながらインバータ回路１３に供給するための回路である。そのため、電源電圧供給回路１１は、入力電圧をインバータ回路１３に供給する入力コイルＬｉｎと、入力電圧を断続的に供給するトランジスタＱ１と、断続的に供給される入力電圧を平滑化する平滑回路Ｃ２とを備えている。トランジスタＱ１のベースはＰＷＭ制御部１２とバイアス抵抗Ｒ１を用いて接続している。トランジスタＱ１のコレクタは直流電源Ｖｉｎと接続し、そのエミッタは平滑回路Ｃ２と接続している。これにより、ＰＷＭ制御部１２からバイアス抵抗Ｒ１に出力されたＰＷＭ信号がハイレベルの期間は、トランジスタＱ１のコレクタ・エミッタ間が導通し、入力電圧を入力コイルＬｉｎに供給する。また、ＰＷＭ信号のローレベルの期間は、トランジスタＱ１のコレクタ・エミッタ間は遮断され、入力電圧は入力コイルＬｉｎに供給されない。トランジスタＱ１のスイッチングにより断続的に入力コイルＬｉｎ供給された入力電圧は、入力コイルＬｉｎと平滑回路Ｃ２を構成する電界コンデンサで平滑化されて、図３（ｂ）に示す電圧値が徐徐に増加する入力電圧を生成する。
【００２３】
ＰＷＭ制御部１２は、電源電圧供給回路１１にＰＷＭ信号を供給するための回路である。また、本発明に係るＰＷＭ制御部１２が出力するＰＷＭ信号は、図３（ａ）に示すように、オン期間における立ち上がりから一定の期間に該ＰＷＭ信号よりオン期間が短い複数の矩形信号が重畳されている。ＰＷＭ信号に重畳される矩形信号は所定周期でオン（ハイレベル）期間が徐徐に増加する矩形波である。ここで、重畳とはＰＷＭ信号のオン期間に該ＰＷＭ信号よりオン期間の短い矩形信号を合成することを言う。この場合、合成される矩形信号がオフ期間（又はローレベル）の場合は、ＰＷＭ信号の波形はローレベルとなることを言う。
【００２４】
図４に示すように、ＰＷＭ制御部１２は、元となるＰＷＭ信号を生成するＰＷＭ信号生成部１２ａと、ＰＷＭ信号に重畳する重畳信号を生成するパルス波形生成部１２ｂと、元となるＰＷＭ信号と重畳信号とを重畳する重畳部１２ｃとを備えている。パルス波形生成部１２ｂの具体的な一例としては、タイマーによってハイレベルの期間を増加させる波形生成部を備えたＩＣにより実現してもよい。また、ＰＷＭ制御部１２を、その機能を実現することができるマイクロコンピュータにより構成してもよい。制御部９２からバックライト２０の点灯を示す点灯開始信号がＰＷＭ制御部１２に入力されると、ＰＷＭ信号生成部１２ａは元となるＰＷＭ信号を生成し、パルス波形生成部１２ｂは重畳信号を生成する。生成されたＰＷＭ信号と重畳信号とは重畳部１２ｃに出力された後、重畳されてＰＷＭ信号となる。
【００２５】
重畳部１２ｃはＡＮＤ回路１２ｃ１とＯＲ回路１２ｃ２とから構成されている。ＡＮＤ回路１２ｃ１の入力端の一方はＰＷＭ信号生成部１２ａと接続されるとともに、他方はパルス波形生成部１２ｂとそれぞれ接続されている。図５に示すように、ＰＷＭ信号生成部１２ａから出力された元となるＰＷＭ信号とパルス波形生成部１２ｂから出力された重畳信号とが互いにハイレベルである場合は、ＯＲ回路１２ｃ２からハイレベルのＰＷＭ信号が出力される。逆に、元となるＰＷＭ信号と重畳信号とがローレベルである場合は、ＯＲ回路１２ｃ２からローレベルのＰＷＭ信号が出力される。ここで、重畳信号がＰＷＭ信号に重畳される期間はＰＷＭ信号のオン期間における立ち上がりから４分の１から５分の１の期間である。これにより、ＰＷＭ信号の他の信号が重畳される期間がオン期間の４分の１から５分の１と短い期間であるため、それ以降の期間では通常の調光制御を行なうことができる。そのため、バックライト２０の輝度に対する影響を低減させることができる。  
【００２６】
インバータ回路１３は、供給される入力電圧に基づいて共振電圧を生成し、バックライト２０を高周波点灯させるための回路である。インバータ回路１３はプッシュブル接続されたトランジスタＱ２，Ｑ３と、トランジスタＱ２，Ｑ３のベース電極にベース電流を供給するバイアス抵抗Ｒ２，Ｒ３と、トランジスタＱ１，Ｑ２の共振により生成される共振電圧を充電する共振コンデンサＣ１と、相互誘導によりバックライト２０に高周波電流を供給するトランスＷとから構成されている。また、トランスＷの二次側巻線Ｗ２はバックライト２０と接続し直列回路を構成している。
【００２７】
インバータ回路１３は、自励発振制御によりトランジスタＱ２，Ｑ３を発振させて直流電力から高周波交流電力を生成する。入力コイルＬｉｎから入力電圧がインバータ回路１３に供給されると、トランジスタＱ２，Ｑ３のベースにベース電流が流れエミッタ・コレクタ間を導通する。その後、回路構成、トランジスタのばらつき等によりトランジスタＱ２，Ｑ３のバランスが崩れ、一方がオン、他方がオフとなる。オフとなったトランジスタに接続されているコイル電流が共振コンデンサＣ１を充電する。オフ側コイルのエネルギーが放出されるとオン側コイルの磁界の影響を受け、また、共振コンデンサＣ１の放電電流とも合わされて、コイルＷ１ａ，Ｗ１ｂには同方向に電流が流れ始める。さらに、コイルＷ１ａ，Ｗ１ｂに同方向の電流が流れることにより、帰還巻線ＷＦに電圧が発生してトランジスタＱ２，Ｑ３の動作を反転させるような向きにベース電流を流す。これにより、コレクタ電流はベース電流と電流増幅率とによって定まる飽和点に達するまで増加する。その後、飽和により電流増加が少なくなるにつれてトランスＷの一次巻線Ｗ１と帰還巻線ＷＦには逆向きの電圧が発生する。そのため、トランジスタＱ２，Ｑ３は再び反転し、発振が継続する。
【００２８】
（３）バックライト点灯回路の作用・効果
制御部９２からバックライト２０の調光制御の命令が出されると、バックライト点灯回路１０は以下の順序でバックライト２０を調光する。まず、ＰＷＭ制御部１２は、トランジスタＱ１に調光のためのＰＷＭ信号を出力する。次に、トランジスタＱ１はＰＷＭ信号のオン期間の波形に合わせて入力電圧を平滑回路１１ａに断続的に供給していく。図３（ａ）に示すように、本発明に係るＰＷＭ信号では、立ち上がりから４分の１から５分の１の期間に複数の矩形波が重畳されている。そのため、図３（ｂ）に示すように、平滑回路Ｃ２により電圧値が徐徐に立ち上がる入力電圧が生成されて、インバータ回路１３に供給される。入力電圧がインバータ回路１３に供給されることにより、トランジスタＱ２，Ｑ３のベースに値が徐徐に高くなるベース電流が供給される。これによりインバータ回路１３は電圧値が徐徐に高くなる共振電圧を生成し、トランスＷに印加する。このため、トランスＷの一次巻線Ｗ１には図３（ｃ）に示す高周波電流が発生し、バックライト２０を点灯させる。その後、ＰＷＭ信号の立ち上がりから４分の１から５分の１を過ぎると、オン期間は連続的にハイレベルとなる。そのため、トランジスタＱ２，Ｑ３のベースには連続的にベース電流が供給される。そのため、トランスＷの一次巻線Ｗ１に発生する高周波電流は一定の値で飽和し続け、バックライト２０が安定的に点灯する。以後、ＰＷＭ信号のオフ期間とオン期間に合わせてバックライト２０は調光制御される。
【００２９】
以上説明したように、本発明に係るバックライト点灯回路１０では、トランスＷを流れる高周波電流は立ち上がり時に現れるピーク電流が抑制されている。これにより、ピーク電流に起因するトランスＷの唸り音を抑制することができる。また、本発明に係るバックライト点灯回路１０では、ＰＷＭ信号の波形に複数のパルス波からなる信号を重畳させることにより唸り音を低減するため、バックライト点灯回路１０の設計変更が行なわれた場合でもＰＷＭ信号に重畳する波形を変更するだけでバックライト点灯回路１０の設計変更に対応することができる。
【００３０】
（４）各種変形例
本発明は様々な変形例が存在する。
ＰＷＭ制御部１２が出力するＰＷＭ信号は、複数の矩形信号を重畳して生成するのではなく、予め図３（ａ）に示す波形形状の信号を生成して出力するものであってもよい。
【００３１】
（５）まとめ
本発明に係る液晶テレビジョンでは、バックライト点灯回路からの電源電圧によりバックライト２０の点灯及び調光が制御される。本発明に係るバックライト点灯回路では、ＰＷＭ制御部からのＰＷＭ信号に基づいて、電源電圧供給回路が入力電圧を断続的に供給することによりバックライトを調光する。ＰＷＭ制御部が出力するＰＷＭ信号はオン期間における立ち上がりから一定の期間に、該ＰＷＭ信号よりオン期間が短く、且つデューティ比が序々に増加する矩形信号が重畳された波形である。これにより、入力電圧を穏やかに立ち上げることでトランスに発生するピーク電流を抑制することができ、唸り音を抑制することができる。
【００３２】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００３３】
【図１】液晶テレビジョンのブロック構成図である。
【図２】一例としてのバックライト点灯回路を示す図である。
【図３】一例としてのＰＷＭ信号とトランスに流れる高周波電流を示す図である。
【図４】一例としてのＰＷＭ制御部を示す図である。
【図５】一例としてのＰＷＭ信号と重畳信号とを示す図である。
【図６】従来のバックライト点灯回路を示す図である。
【図７】従来のＰＷＭ信号とトランスに流れる高周波電流を示す図である。
【符号の説明】
【００３４】
１０…バックライト点灯回路、１１…電源電圧供給回路、１１ａ…平滑回路、１２…ＰＷＭ制御部、１２ａ…ＰＷＭ信号生成部、１２ｂ…パルス波形生成部、１２ｃ…重畳部、１２ｃ１…ＡＮＤ回路、１２ｃ２…ＯＲ回路、１３…インバータ回路、２０…バックライト、３０…バックライトユニット、１００…液晶テレビジョン、Ｃ１…共振コンデンサ、Ｃ２…平滑回路、Ｌｉｎ…入力コイル、Ｑ１，Ｑ２，Ｑ３…トランジスタ、Ｒ１，Ｒ２，Ｒ３…バイアス抵抗、Ｖｉｎ…直流電源、Ｗ…トランス、Ｗ１…一次巻線、Ｗ２…二次側巻線、ＷＦ…帰還巻線
【図１】
2008300112.tif 000003
【図２】
2008300112.tif 000004
【図３】
2008300112.tif 000005
【図４】
2008300112.tif 000006
【図５】
2008300112.tif 000007
【図６】
2008300112.tif 000008
【図７】
2008300112.tif 000009